(57)【要約】【課題】  この発明は、海苔網の液処理に際し、処理槽へ入る海水を可及的に少なくすると共に、処理液が海上に排出されることを可及的に少なくすることを目的としたものである。【解決手段】  この発明は、海苔網を処理液で処理できるようにした処理船において、海苔網を船上へ持ち上げる船首部には、海苔網から分離した海水の捕集流出装置を設けると共に、海苔網を海上へ戻す船尾部には、海苔網から分離した処理液を処理液槽へ戻す返戻装置を設置したことを特徴とする海苔網の処理船により、目的を達成した。【選択図】              図１
2007037432.tif 000002
【特許請求の範囲】
【請求項１】
海苔網を処理液で処理できるようにした処理船において、海苔網を船上へ持ち上げる船首部には、海苔網から分離した海水の捕集流出装置を設けると共に、海苔網を海上へ戻す船尾部には、海苔網から分離した処理液を処理液槽へ戻す返戻装置を設置したことを特徴とする海苔網の処理船。
【請求項２】
捕集流出装置は、海水を絞る案内具の下方に、海水を受ける多孔板と、海水を船外へ導く樋又は捕集装置を単独又は併設したことを特徴とする請求項１記載の海苔網の処理船。
【請求項３】
返戻装置は、海苔網を絞る案内縁の下方に、処理液槽へ傾斜する処理液の流下壁を設けたことを特徴とする請求項１記載の海苔網の処理船。
【請求項４】
処理船は、海苔摘み機を設置すれば、海苔摘みができるようにしたことを特徴とする請求項１記載の海苔網の処理船。
【請求項５】
案内具は、案内杆とし、その高さを調節可能としたことを特徴とする請求項２記載の海苔網の処理船。
【請求項６】
案内具の前方又は後方或いは前後両方へ、海苔網の押えローラを設置したことを特徴とする請求項２記載の海苔網の処理船。
【請求項７】
押えローラは、少なくともその両端部を磁化し、受け具と磁気吸引させたことを特徴とする請求項６記載の海苔網の処理船。
【請求項８】
押えローラは、その両端部が開放され、海苔網の吊紐が通過できるようにしたことを特徴とする請求項６記載の海苔網の処理船。
【請求項９】
海苔網を処理液で処理できるように、海苔網を船上に持ち上げて海水を絞る手段と、絞った海水の排水手段と、処理液で処理済の海苔網から、処理液を絞り、これを処理液槽に戻すようにした処理船において、船外機の右側又は左側へ、浮力バランスをとるべくフロートを設置したことを特徴とする海苔網の処理船。
【請求項１０】
処理船は、処理液槽の側壁に多数の脱水用小孔を設け、前記処理液槽内からの脱水を可能にしたことを特徴とする請求項９記載の海苔網の処理船。
【発明の詳細な説明】
【技術分野】
【０００１】
この発明は、海苔網を、酸液又は高塩分濃度液を用いて、液処理することにより、海苔の発病を防止すると共に、処理液による海水の汚染防止、処理液の海水による希薄化を可及的に防止することを目的としたものであって、海苔採取船にも兼用した海苔網の処理船に関する。
【背景技術】
【０００２】
従来海苔網の液処理については、海苔網を支柱から取り外して巻取軸に巻き取りながら処理液に浸漬し、ついで巻取軸に巻き取られた海苔網を処理液に浸漬しながら他の巻取軸に巻き返して、この海苔網を処理液に浸漬した後、取り出して、支柱に設置する工程を経てなる海苔網の液処理方法が知られている。
【０００３】
また海苔網の下へ処理船を入れ、海苔網を設置したまま、前記処理船を移動して海苔網を処理液に浸漬する方法と装置も提案されている。
【０００４】
前記処理液としては、酸（例えば、クエン酸など）を使用するのが一般的であるが、近来高塩分濃度液の使用も提案されている。
【特許文献１】特公平４−２８３２５
【特許文献２】特許第２８０２６８９号
【特許文献３】特開平７−１３５８６７
【特許文献４】特開平８−５６４５５
【発明の開示】
【発明が解決しようとする課題】
【０００５】
前記特許文献１、２に記載された発明は、海苔網を支柱から外して、巻取軸へ巻き取るので、処理液に浸漬する時間は必要な時間がとれる反面、作業性が悪い問題点があった。
【０００６】
特許文献３、４に記載された発明は、海苔網を張設したまま処理船を移動させ、処理船の処理槽内に海苔網を浸漬する方法であって、作業性は改善されたけれども、海水が処理槽内に入るので、処理液のＰＨ変動が著しく、処理船から親船まで行って、新しい処理液を入れ、そのＰＨを調節しなければならない問題点があった。
【０００７】
前記何れの処理であっても、海苔網を処理液内へ入れる際に海水の分離が不十分の場合には（分離した海水が処理槽内へ流入する場合も含む）、処理液の効力が短時間に低下するおそれがあり、作業中度々処理液を補完したり、調整しなければならない。また、処理液の絞り取りが不十分の際には、処理液の消耗が著しいのみならず、処理液が海水中へ入るので、海水汚染の進行を早める問題点があった。
【課題を解決するための手段】
【０００８】
然るにこの発明は、絞り取った海水は、処理槽へ入れることなく海上へ戻すと共に、絞り取った処理液は、処理槽内へ確実に戻すようにして、前記従来の問題点を解決したのである。
【０００９】
即ちこの発明は、海苔網を処理液で処理できるようにした処理船において、海苔網を船上へ持ち上げる船首部には、海苔網から分離した海水の捕集流出装置を設けると共に、海苔網を海上へ戻す船尾部には、海苔網から分離した処理液を処理液槽へ戻す返戻装置を設置したことを特徴とする海苔網の処理船であり、捕集流出装置は、海水を絞る案内具の下方に、海水を受ける多孔板と、海水を船外へ導く樋又は捕集装置を単独又は併設したものであり、返戻装置は、海苔網を絞る案内縁の下方に、処理液槽へ傾斜する処理液の流下壁を設けたものである。
【００１０】
また他の発明は、海苔網を処理液で処理できるように、海苔網を船上に持ち上げて海水を絞る手段と、絞った海水の排水手段と、処理液で処理済の海苔網から、処理液を絞り、これを処理液槽に戻すようにした処理船において、船外機の右側又は左側へ、浮力バランスをとるべくフロートを設置したことを特徴とする海苔網の処理船であり、処理船は、海苔摘み機を設置して、海苔摘み、海苔網処理ができるようにしたものである。
【００１１】
前記のように、船外機設置部の右側又は左側へフロートを設置したので、進行する処理船の安定性が改善され、極端な右傾又は左傾がなくなり、安定して処理作業できる効果がある。
【００１２】
また、案内具は、案内杆とし、その高さを調節可能としたものであり、案内具の前方又は後方或いは前後両方へ、海苔網の押えローラを設置したものであり、押えローラは、少なくともその両端部を磁化し、受け具と磁気吸引させたものである。また、押えローラは、その両端部が開放され、海苔網の吊紐が通過できるようにしたものである。
【００１３】
次に、海苔網を処理液で処理できるように、海苔網を船上に持ち上げて海水を絞る手段と、絞った海水の排水手段と、処理液で処理済の海苔網から、処理液を絞り、これを処理液槽に戻すようにした処理船において、船外機の右側又は左側へ、浮力バランスをとるべくフロートを設置したことを特徴とする海苔網の処理船であり、処理船は、海苔摘み機を設置して、海苔摘み、海苔網処理ができるようにしたものであり、処理船は、処理液槽の側壁に多数の脱水用小孔を設け、前記処理液槽内からの脱水を可能にしたものである。
【００１４】
前記において、網の上から、加圧ローラを押しつけることができれば、脱水効率も向上するが、網の上からだと、加圧ローラの支持がむつかしいので、フリー状態の加圧になり、不確実、不安定を免れることはできなかった。
【００１５】
また海苔網の下方で処理船を移動させる方法は、海水及び処理液を絞り取る力が弱くなりがちで、海水の分離も処理液の分離も不十分になり易いのである。
【００１６】
然して支持した加圧ローラがあれば、加圧力を大きく掛けることができるが、海苔網の下で処理船を進行させる方式で、加圧ローラの支持は、吊紐が邪魔になる為に困難であった。
【００１７】
そこで遊びローラからの支持によるもの、又は磁石吸引力を利用した支持によることにより、前記の困難性を改善することができた。
【００１８】
然して絞り効率は、案内具に対する海苔網の進行角度によっても異なるので、海苔網の進行角度を鋭角にすべく押えローラの架設位置を規制し、又はアングル鋼の角部を利用したものも有効であった。
【発明の効果】
【００１９】
この発明は、海水を絞る場合に海苔網の進行角度を可及的に鋭角にし、又は押えローラにより絞り効率を向上させると共に、絞った海水の捕集流出装置を設けたので、処理槽内へ入る海水の量を著しく少なくする効果がある。また処理液については返戻装置を設置したので、処理液の海中への移行を著しく少なくすることにより、海水の汚染を防ぎ、前記従来の問題点を解決した効果がある。
【００２０】
また海水の効率的除去により、処理液の急速な変質を防止して、処理液の調整に要する労力、時間を節減して、処理効率を著しく向上させる効果がある。また、処理液の海中への流出を減少させることにより、海水の急速な汚染を防止する効果がある。
【００２１】
また処理槽を海苔収容槽として用いる際（海苔採り機を搭載）には、多孔板から脱水し、一度に載せる海苔量を増加できる効果がある。
【００２２】
次にこの発明は、船外機の右側又は左側にフロートを設置したので、船体重量の偏倚を是正し、船体を正常姿勢に保持して作業できる効果がある。従って処理船は常時安定した姿勢で航行することができるので、安全性と、作業の安定性を増大することができる。
【発明を実施するための最良の形態】
【００２３】
この発明は、海苔網を船上へ引き上げる際の案内具の下部付近の船体甲板上に、多孔板を設けて分離海水を受け、この多孔板を通過した海水を下部で捕集して船外へ排水し、又は前記多孔板の一側へ樋を設けて、樋で捕集した海水を船外へ排水する。
【００２４】
次に、処理槽の出口側の案内具で処理液を絞り、これを処理槽へ戻すことができる。前記海水又は処理液の絞り取りに、アングル鋼又は押えローラを用いる。アングル鋼は絞り角度を鋭角にし、押えローラは、処理槽内へ設置した押え管の軸へ支持して吊紐の邪魔にならないようにし、又は、押えローラの両端を磁化して磁気吸引により絞り力を向上させてある。
【００２５】
前記案内具に支持された海苔網の海水絞り角度をなるべく鋭角に近くし、又はローラで加圧して絞り力の向上を図り、又は加圧力を高めて、可及的に多くの液を絞り取る。
【実施例１】
【００２６】
この発明の実施例を図１、２に基づいて説明すると、船体１の船首側に、海苔網２の案内杆３を架設し、前記案内杆３の一側へ押えローラ４を回転自在に当接する。
【００２７】
前記押えローラ４の下方の、処理槽５の縁部５ａと、船体１の船首１ａとの間に多孔板６を張設し、該多孔板６の一側に樋７を多孔板６にそって架設している。
【００２８】
前記において海上に張設されている海苔網２は、船体１の矢示８の方向への進行につれて相対的に矢示９の方向へ相対移動する。
【００２９】
前記において海苔網２は、案内杆３と、押えローラ４で挟着されて進行方向を鋭角に変換して、処理槽５内へ入り、押え管１０の下側を通過し、処理槽５の側縁１１と押えローラ１２とで挟着されつつ処理液を絞られる。
【００３０】
前記押え管１０の側壁には、多数の透孔１０ａ、１０ａを設けて沈下し易く（押え管１０の重量により海苔網を下圧する）してあり、前記押え管１０の軸１０ｂ、１０ｂに、カラー１８、１８ａを遊嵌し、カラー１８、１８ａの突片１９、１９ａへ、前記押えローラ４、１２の支杆２０、２１の基端を回転自在に固定してある（図１、２）。
【００３１】
前記支杆２０、２０の先端は、押えローラ４の軸４ａのカラー２２、２２に固定してある。また支杆２１、２１の先端は、押えローラ１２の軸１２ａのカラー２３、２３に固定してある。従って、押え管１０の矢示２６回転に支障なく、押えローラ４、１２は回転しつつ海苔網２を押えることができる。
【００３２】
前記のように取り付けてあるので、支杆２０、２１は、図２中矢示２４、２５のように、自由に回動し、各押えローラ４、１２も自動回転できる。従って、押えローラ４、１２は、夫々の自重により押え力を得ているので（支杆２０、２１をアームとする）、必要な押圧力を考慮し、押えローラ４、１２の自重を定める。
【００３３】
前記押えローラ１２と、側縁１１とは、接触面積を大きくとって（凹状部１１ａにより）絞り効力を向上させてある（図２（ａ））。
【００３４】
前記において、案内杆３と、押えローラ４とによって絞り取られた海水は、矢示１３のように下降し、一部は多孔板６を通過して捕集漏斗１４から排水口１５を経て海上へ排水される。前記多孔板６を通過できなかった海水は、樋７を経て海上へ排水される（図２）。
【００３５】
一方側縁１１と、押えローラ１２とにより絞り取られた処理液は、処理槽５の側壁に沿って矢示１７のように流下し、処理槽５内へ戻される（図２）。
【００３６】
前記のように海苔網２に付着した海水は、可及的に多く絞り取られて海上に排水される。また、絞り取られた処理液は処理槽５に戻されるので、処理液の老化の進行が遅くなり、海水の汚染は可及的に減少させることができる。
【００３７】
前記における押えローラ４を、例えば加圧して若干変形するスポンジローラにすれば、海水を吸収して、その分離効率を向上させることができる。また、押えローラ４、１２の加圧力は前記のように自重であるから、材質を考慮し（比重の大きい材質）、所定の加圧力を得る工夫をすることができる。
【００３８】
前記における押えローラ４は、加圧力と、海苔網の進行方向の変換（なるべく鋭角にする）にあるから、案内杆３との位置を調整（考慮）することにより、絞り効果を一層上げることができる。
【００３９】
前記多孔板６は、分離した海水の排水の一例であるが、図３（ａ）のように、分離海水の多孔板２７を、斜設し、その集水樋２８により海上へ排水するようにしても目的を達成できる。
【００４０】
要は、既製の船体の構造に対応し、海水の分離と、排水を考慮して海水の捕集流出装置を考慮すればよいことになる。
【００４１】
前記実施例は、船体の船首を前にして進行するようにしたが、船首と船尾に対し、その直角方向（すなわち船腹を前後にして）に進行する場合についても、前記実施例に準じて海水の分離をすることができる。
【００４２】
また押えローラを使用しなくても、例えばアングル鋼のアングルで受けて、海苔網の進行方向を鋭角に近く変換することにより、海水の絞り効果を上げれば、前記と同様に使用することができる。
【００４３】
また前記は、船体が海苔網２の大部を進行する場合について説明したが、巻き取り方式についても、この発明の技術を応用することができる。
【００４４】
即ち海苔網２を船上に引き上げて処理する場合には、海水の分離と、処理液の分離は必須条件であり、何れも処理液の老化防止と、海水の汚染防止（軽減）は必須事項となっているからである。
【実施例２】
【００４５】
この発明の他の実施例を図３について説明すると、案内杆３の内側に押えローラ３０を受け具２９で支持する。この場合には、受け具２９を断面孤状にし、強磁性材料で作り、前記押えローラ３０を、その両端部又は全長に亘って支持させる。前記押えローラ３０の両側部には、所定幅の磁着部３０ａが設けてあって、押えローラ３０が他所へ転動しないようにしてある。
【００４６】
この実施例の場合においても、絞り取られた海水は、多孔板２７を通過し、捕集漏斗１４に捕集され、排水口１５から海上へ排水される。または樋２８で捕集し、海上へ排水することもできる。前記における押えローラ３０は、処理液の絞りにも使用することができる。
【００４７】
前記実施例において、押えローラ３０には、磁着部３０ａがあるので、押えローラ３０は、受け具２９によって、軸方向へずれることが少なく、ほぼ現状の位置で海苔網２を押えることができる。
【００４８】
前記実施例において、図４（ａ）のように着磁軸３３の心軸３１へ押えローラ３２を回転自在に嵌装すれば、海苔網２と、押えローラ３２との摩擦を小さくすることができる。図中３４は受け具である。
【００４９】
次に図４（ｂ）の実施例は、案内杆３を設置した船体上縁と、処理槽５の上縁５ａとの間に、船体上縁側を低く形成した多孔板３５を斜設し、多孔板３５の下方へ捕集漏斗１４を設け、前記多孔板３５の低い側へフリーローラ３６を置いたものである。
【００５０】
前記において海苔網２は、フリーローラ３６の下面を通過して、処理槽５に入るようにしてある。そこで、海苔網２は、案内杆３と、フリーローラ３６との間で、ほぼ垂直に近い角度で引張られ、案内杆３により効率よく海水が絞られる。絞られた海水は、多孔板３５と、隙間３８から矢示３７のように落下し、捕集漏斗１４で捕集されて、排水口１５から海上へ排水される。
【００５１】
前記実施例においては、海苔網２の通過形態を屈曲させることにより海水の絞り効率を上げようとするもので、フリーローラ３６の材質を考慮し、その太さと重量の関係から、図４（ｂ）の関係位置を保つことができれば、絞り効率を向上させることができる。
【００５２】
然してフリーローラ３６は、取り付け部のない棒にすぎないので、セットはきわめて容易であり、海苔網２の吊紐が邪魔になるおそれはない。
【００５３】
また図４（ｃ）のように、アングル鋼３９により、海苔網２をほぼ直角に支持すれば、海水の絞り取り率を向上させることができる。図中４０はアングル鋼３９の支持杆である。
【実施例３】
【００５４】
この発明の他の実施例を図５、６、７に基づいて説明すると、船体１の処理槽５の側壁をパンチング鋼４１とし、前記処理槽５を採取海苔４２の収積槽に使用した際（海苔摘み船とした場合）に水抜きをして、収積海苔量を増加させる目的で構成した。前記において、海苔４２の水は、パンチング鋼４１を矢示４３のように通過し、中間槽４４の排水孔４５を経て、船体１の排水孔４６から矢示４７、４８のように海上へ排水される。図中４９、５０は、排水孔４５、４６の栓体である（図７）。即ち処理液を収容する処理槽５として使用する際は栓体４９、５０が嵌着してある。図５中５１は海苔網２の引き上げ時の案内杆、５２は海水絞り棒、５２ａは処理液の絞り棒、５３は船外機カバーである。
【００５５】
次に図６には、船体左側壁にフロート５４が固定してある。このフロートは、積荷のバランスを取る為に固定する。従って、船体の左側が重いときには左側へ（図中実線図示）、右側が重い時には右側へ（図中鎖線図示）固定する（フロートは船尾部につけてある）。
【図面の簡単な説明】
【００５６】
【図１】この発明の実施例の一部を省略した平面図。
【図２】（ａ）同じく一部を省略した縦断正面図、（ｂ）同じくカラーと軸の関係を示す一部拡大断面図、（ｃ）同じくカラーと軸の関係を示す一部拡大側面図、（ｄ）同じくカラーと軸における軸に直角な断面拡大図。
【図３】（ａ）同じく押えローラ３の他の実施例の一部正面図、（ｂ）同じく一部拡大斜視図、（ｃ）同じく押えローラの一部を切断した拡大斜視図。
【図４】（ａ）同じく押えローラの他の実施例の一部を省略した斜視図、（ｂ）同じく他の実施例の一部を省略した正面図、（ｃ）同じくアングル鋼使用を示す説明図。
【図５】同じく他の実施例の一部を省略した斜視図。
【図６】同じく一部を省略した正面図。
【図７】同じく一部を省略した一部断面拡大図。
【図８】同じく他の実施例の斜視図。
【符号の説明】
【００５７】
１  船体
２  海苔網
３  案内杆
４、１２  押えローラ
５  処理槽
６  多孔板
７  樋
１０  押え管
１１  側縁
１４  捕集漏斗
１５  排水口
１６  樋
【図１】
2007037432.tif 000003
【図２】
2007037432.tif 000004
【図３】
2007037432.tif 000005
【図４】
2007037432.tif 000006
【図５】
2007037432.tif 000007
【図６】
2007037432.tif 000008
【図７】
2007037432.tif 000009
【図８】
2007037432.tif 000010